(57)【要約】【課題】  遊技媒体に、遊技機外で有効な第一の価値と、遊技機内で有効な第二の価値とを設定し、第二の価値のみを選択的に切換える遊技機において、価値の選択肢を増やすとともに、第二の価値間で払い出し率にバラツキが生じることを回避する。【解決手段】  パチンコ遊技機１は、第二の価値を選択する価値選択スイッチ４０と、遊技機外から遊技機内に取り込まれる遊技球の個数を、第一及び第二の価値に応じて変換する第一の遊技媒体変換手段と、遊技機内から遊技機外に払い出す遊技媒体の個数を、第一及び第二の価値に応じて変換する第二の遊技媒体変換手段とを備え、第二の遊技媒体変換手段は、払い出す遊技球の個数を小数点以下まで演算すると共に、払い出しが不可能な小数点以下の個数を記憶保持し、これを次回の払い出し個数に加算する。【選択図】        図１１
2005058489.tif 000002
【特許請求の範囲】
【請求項１】
遊技媒体に、遊技機外で有効な第一の価値と、遊技機内で有効な第二の価値とを設定し、第二の価値のみを選択的に切換える遊技機であって、
第二の価値を選択する価値選択手段と、
遊技機外から遊技機内に取り込まれる遊技媒体の個数を、第一及び第二の価値に応じて変換する第一の遊技媒体変換手段と、
遊技機内から遊技機外に払い出す遊技媒体の個数を、第一及び第二の価値に応じて変換する第二の遊技媒体変換手段とを備え、
前記第二の遊技媒体変換手段は、払い出す遊技媒体の個数を小数点以下まで演算すると共に、払い出しが不可能な小数点以下の個数を記憶保持し、これを次回の払い出し個数に加算することを特徴とする遊技機。
【請求項２】
前記第二の遊技媒体変換手段は、払い出しが不可能な小数点以下の個数を表示部に表示させることを特徴とする請求項１記載の遊技機。
【請求項３】
主制御プログラムに応じて動作する主制御基板と、該主制御基板からのコマンドに応じて動作する副制御基板とを備え、前記第二の遊技媒体変換手段が、前記主制御基板以外の基板に設けられることを特徴とする請求項１又は２記載の遊技機。
【発明の詳細な説明】
【技術分野】
【０００１】
本発明は、遊技球やコインを遊技媒体として遊技を行うパチンコ遊技機、スロットマシンなどの遊技機に関する。
【背景技術】
【０００２】
遊技球やコインを遊技媒体として遊技を行うパチンコ遊技機、スロットマシンなどの遊技機が広く普及している。これらの遊技機を設置したホールは、所定の単価で遊技媒体を貸し出し、これを用いて遊技者が遊技を行う。また、遊技者が遊技で獲得した遊技媒体は、所定の景品交換レートで景品に交換することができる。
【０００３】
遊技媒体の貸出単価は、ホール間で共通であるが、景品交換レートは、ホール毎に任意に設定され、通常は、景品交換レートと反比例するように出玉率が調節される。これは、ハイリターンを好む遊技客と、ローリスクで長時間の遊技を好む遊技客とが存在するからであり、ホールの営業方針に応じて、景品交換レートが設定されている。
【０００４】
また、ホール内における景品交換レートが一種類である場合、遊技客の客層に偏りが発生し、ホールの安定経営に支障を来す可能性があるため、近年では、同一ホール内で複数種類の景品交換レートを設定し、客層の偏りを解消することが提案されている。このようなホールでは、フロア単位、パチンコ島単位、又は機種単位で景品交換レートを定めている。
【０００５】
しかしながら、同一ホール内で複数種類の景品交換レートを設定すると、景品交換業務が煩雑になるだけでなく、景品交換レートが異なる遊技機間で遊技媒体の移動が行われる可能性がある。このような問題を解消するために、価値の異なる複数種類の遊技媒体（例えば、金色遊技球と銀色遊技球）を用いることも提案されているが、この場合には、複数種類の遊技媒体が混ざり、かえって管理が煩雑になる可能性がある。
【０００６】
そこで、遊技機外における遊技媒体の価値（第一の価値）を変えずに、遊技機内における遊技媒体の価値（第二の価値）を選択的に切換える遊技機が提案されている（例えば、特許文献１、２参照）。このような遊技機によれば、ハイリターンを好む遊技客は、第二の価値を高くし、ローリスクで長時間の遊技を好む遊技客は、第二の価値を低くすることにより、遊技客の好みに適合した遊技が可能になるので、ホール内に複数種類の景品交換レートを設定する必要がなくなり、上記の問題を解消することが可能になる。
【特許文献１】特開平１１−１３７８２３号公報
【特許文献２】特開２００３−２１０７８２号公報
【発明の開示】
【発明が解決しようとする課題】
【０００７】
しかしながら、特許文献１（第三実施形態）は、遊技媒体数を遊技カード（記録媒体）に記録し、これを遊技機に挿入して遊技を行うものであるため、遊技機に直接遊技媒体を供給する現行の遊技機とは、遊技の趣きが大きく相違してしまうだけでなく、新たなカードシステム（遊技カードの貸出機、精算機など）の導入が必要となり、ホールの設備コストが増大するという問題がある。
【０００８】
一方、特許文献１に示される遊技機は、遊技機に直接供給される遊技媒体の個数を、第二の価値に応じて変換するものであるため、現行の遊技機が有する遊技の趣きを継承でき、しかも、新たなカードシステムの導入などが不要であるため、現実的である。しかしながら、このような遊技機を実際に導入した場合には、下記のような問題が発生する。
【０００９】
（１）遊技媒体の払い出し個数が整数となるように第二の価値を設定すると、第二の価値を細かく設定（例えば、１円ピッチ、０．５円ピッチ）することができず、価値の選択肢が減少する。
（２）遊技媒体の払い出し個数が整数となるように第二の価値毎に払い出し個数を設定すると、第二の価値間で払い出し率にバラツキが生じ、公平性が低下する。
（３）遊技媒体の払い出し個数が整数とならない場合、払い出し個数が不明瞭となり、遊技者の誤解を招く可能性がある。
（４）遊技機の主制御プログラムが複雑になり、制限容量をオーバーする可能性がある。
【課題を解決するための手段】
【００１０】
本発明は、上記の如き実情に鑑みこれらの課題を解決することを目的として創作されたものであって、遊技媒体に、遊技機外で有効な第一の価値と、遊技機内で有効な第二の価値とを設定し、第二の価値のみを選択的に切換える遊技機であって、第二の価値を選択する価値選択手段と、遊技機外から遊技機内に取り込まれる遊技媒体の個数を、第一及び第二の価値に応じて変換する第一の遊技媒体変換手段と、遊技機内から遊技機外に払い出す遊技媒体の個数を、第一及び第二の価値に応じて変換する第二の遊技媒体変換手段とを備え、前記第二の遊技媒体変換手段は、払い出す遊技媒体の個数を小数点以下まで演算すると共に、払い出しが不可能な小数点以下の個数を記憶保持し、これを次回の払い出し個数に加算することを特徴とする。遊技機をこのように構成すれば、遊技媒体の払い出し個数が整数となるように第二の価値を設定する必要がないため、第二の価値を細かく設定し、価値の選択肢を増やすことができる。また、遊技媒体の払い出し個数が整数となるように第二の価値毎に払い出し個数を設定する必要がないため、第二の価値間で払い出し率にバラツキが生じることを回避し、公平性を高めることができる。
また、前記第二の遊技媒体変換手段は、払い出しが不可能な小数点以下の個数を表示部に表示させることを特徴とする。遊技機をこのように構成すれば、第二の価値を切換えるものであっても、遊技媒体の払い出し個数が明瞭になるため、遊技者の誤解を招くことがない。また、表示部の表示個数は、第一の価値を基準として表示されるため、第二の価値が切り換えられたとき、表示部の表示個数を変更する必要がない。
また、主制御プログラムに応じて動作する主制御基板と、該主制御基板からのコマンドに応じて動作する副制御基板とを備え、前記第二の遊技媒体変換手段が、前記主制御基板以外の基板に設けられることを特徴とする。遊技機をこのように構成すれば、主制御プログラムを変更せずに本発明を実施することが可能になる。これにより、主制御プログラムの複雑化や容量オーバーも回避することができる。
【発明の効果】
【００１１】
本発明によれば、第二の価値を切換えるものであっても、遊技媒体の払い出し個数が明瞭になるため、遊技者の誤解を招くことがない。また、遊技媒体の払い出し個数が整数となるように第二の価値を設定する必要がないため、第二の価値を細かく設定し、価値の選択肢が増やすことができる。また、遊技媒体の払い出し個数が整数となるように第二の価値毎に払い出し個数を設定する必要がないため、第二の価値間で払い出し率にバラツキが生じることを回避し、公平性を高めることができる。また、表示部の表示個数は、第一の価値を基準として表示されるため、第二の価値が切り換えられたとき、表示部の表示個数を変更する必要がない。
【発明を実施するための最良の形態】
【００１２】
まず、ホール及びパチンコ遊技機（遊技機）の基本構成及び基本動作について説明する。
［ホールの構成］
図１に示すように、パチンコ遊技機１が設置されるホールには、通常、複数のパチンコ島２が構成されている。パチンコ島２は、複数のパチンコ遊技機１と、パチンコ遊技機１間に設けられる複数の台間玉貸し機３と、複数のパチンコ遊技機１に遊技球を補給する遊技球補給路４と、複数のパチンコ遊技機１から遊技球を回収する遊技球回収路５と、遊技球回収路５が回収した球技球を遊技球補給路４に還元する遊技球還元機７とを備えて構成され、遊技球がパチンコ島２内で循環使用される。
【００１３】
また、パチンコ島２には、各パチンコ遊技機１の排出球をカウントする複数の排出球計数部８が設けられ、ここでカウントした排出球の個数がホールコンピュータ９に通知される（現行では１０球単位で送信）。また、パチンコ遊技機１は、遊技球の払い出し個数をカウントし、これをホールコンピュータ９に通知する機能を備えている（現行では１０球単位で送信）。これにより、ホールコンピュータ９は、各パチンコ遊技機１の払い出し個数及び排出個数を認識し、その差分に基づいて各パチンコ遊技機１の出玉管理を行うことが可能になる。
【００１４】
台間玉貸し機３は、現金（紙幣又は硬貨）又はプリペイドカードの投入に応じて、遊技球の貸出を行う。貸し出される遊技球の価値は一定であり、現行では遊技球の貸出単価が４円と定められている。遊技球の貸出は、台間玉貸し機３から行う場合と、パチンコ遊技機１から行う場合とがあり、遊技球が貸し出されると、パチンコ遊技機１での遊技が可能になる。遊技によって獲得した遊技球は、景品カウンタなどで計数され、景品と交換される。このとき適用される景品交換レートは、ホール毎に任意に設定される。本発明における遊技球（遊技媒体）の第一の価値は、遊技球の貸出単価又は景品交換レートに相当するものである。
【００１５】
［パチンコ遊技機の基本構成］
図２に示すように、パチンコ遊技機１の正面には、遊技盤１０と、その前方を覆う開閉自在なガラス枠１１と、遊技球を溜める上皿１２と、上皿１２の余剰球を溜める下皿１３と、遊技球の発射操作を行う発射ハンドル１４と、遊技球の貸出操作を行う貸出操作部１５と、効果音を発生するスピーカ１６とが設けられ、また、図３に示すように、パチンコ遊技機１の背面には、遊技球を溜める遊技球タンク１７と、遊技球タンク１７内の遊技球を上皿１２に払い出す賞球払出装置１８と、遊技球を発射する遊技球発射装置１９と、後述する各種の制御基板とが設けられている。
【００１６】
図４に示すように、遊技盤１０には、始動口２０、入賞口２１、大入賞口２２、ゲート２３、アウト口２４及び遊技釘２５が配置されており、遊技盤１０に発射された遊技球は、遊技釘２５によって各口２０〜２４に誘導される。遊技盤１０の中央部には、液晶パネルからなる特別図柄表示部２６が設けられ、その周りは、センター飾り２７によって囲まれている。また、センター飾り２７の内側下部には、遊技球を遊動させるステージ２８が設けられている。
【００１７】
［パチンコ遊技機の基本動作］
上皿１２に遊技球が溜った状態で発射ハンドル１４を回し操作すると、遊技盤１０に向けて遊技球が発射される。発射された遊技球が始動口２０又は入賞口２１に入賞した場合は、所定個数の遊技球が賞品球として払い出される。
【００１８】
また、遊技球がゲート２３を通過したときは、普通図柄表示部（本実施形態では、特別図柄表示部２６が兼用される。）において普通図柄の変動表示が行われ、その停止図柄が所定の当たり図柄である場合は、始動口２０に設けられる普通電動役物２０ａが所定時間にわたって開放動作される。
【００１９】
また、遊技球が始動口２０に入賞したときは、特別図柄表示部２６において特別図柄抽選の変動表示が行われる。始動口２０への入賞で得られる抽選の権利は、所定の保留個数（例えば、４個）を上限として保留することができ、その保留個数は、保留個数表示部（本実施形態では、特別図柄表示部２６が兼用される。）に表示される。特別図柄表示部２６の表示図柄が、予め決められた大当りの組み合せで停止すると、後述する大当りモード（特定遊技状態）となる。以下、大当りの開始、終了などを契機として切換えられるパチンコ遊技機１の各種遊技モードについて、図５を参照して説明する。
【００２０】
［パチンコ遊技機の遊技モード］
（１）通常遊技モード
このモードでは、２段階の大当り確率のうち、低確率（例えば、１／３５９）が適用される。また、このモードでは、普通図柄の抽選サイクルが長くなっている。
【００２１】
（２）大当りモード
特別図柄が予め決められた大当りの配列で停止したとき、このモードが実行される。大当りモードでは、大入賞口２２に設けられる特別電動役物２２ａが開放動作され、遊技者に有利な状態となる。この開放動作は、所定時間の経過（例えば、３０秒）または所定個数の入賞（例えば、１０球）を条件として終了するが、開放動作中に入賞した遊技球が大入賞口２２内の特定領域を通過した場合は、上記開放動作が所定のラウンド数（例えば、１５ラウンド）を限度として繰り返される。
【００２２】
（３）確率変動モード
このモードは、大当りモードが終了した後、所定の確率（例えば、１／２）で実行されるものであり、例えば、大当り時の特別図柄が確率変動図柄であったとき、その権利が与えられる。確率変動モードでは、大当り確率が高確率（例えば、１／６５）であり、また、普通図柄の抽選サイクルが短く、しかも、普通電動役物２０ａの開放時間が長いため、持ち玉をほとんど減らすことなく、再び大当りを発生させることができる。
【００２３】
（４）時間短縮モード
このモードは、大当りモードが終了した後に実行される。時間短縮モードでは、通常遊技モードと同じ大当り確率（低確率）が適用されるが、普通図柄の抽選サイクルが短く、しかも、普通電動役物２０ａの開放時間が長いため、持ち玉をほとんど減らすことなく、遊技を継続することができる。ただし、このモードは、大当り終了後、特別図柄の変動回数が所定回数（例えば、１００回）となった時点で終了し、通常遊技モードに切り換えられる。
【００２４】
［パチンコ遊技機の基板構成］
図６に示すように、パチンコ遊技機１は、主制御プログラムに応じて動作する主制御基板２９と、主制御基板２９からのコマンドに応じて動作する図柄表示制御基板３０、音制御基板３１、ランプ制御基板３２、払出制御基板３３、発射モータ制御基板３４などの副制御基板を備えている。払出制御基板３３には、玉切れスイッチ３５、払出センサ３６、払出モータ３７などが接続されており、主制御基板２９からの払出指定コマンドに応じて遊技球の払い出しを行うほか、台間玉貸し機３からの貸出指定コマンドに応じて遊技球の払い出しを行う。また、発射モータ制御基板３４には、発射スイッチ（ハンドル角センサ）３８、タッチセンサ３９、遊技球発射装置（発射モータ）１９などが接続されており、発射スイッチ３８及びタッチセンサ３９がＯＮのとき、遊技球発射装置１９の発射モータを駆動させる。
【００２５】
なお、図柄表示制御基板３０は、主制御基板２９からのコマンドに応じて、特別図柄表示部２６の表示制御を行う副制御基板であり、音制御基板３１は、主制御基板２９からのコマンドに応じて、所定の効果音をスピーカ１６から発生させる副制御基板であり、ランプ制御基板３２は、主制御基板２９からのコマンドに応じて、所定のパターンで発光表示ランプＬを点灯制御する副制御基板である。
【００２６】
主制御基板２９には、入賞口２１への入賞を検出する入賞口センサＳ１、始動口２０への入賞を検出する始動口センサＳ２、ゲート２３の通過を検出するゲートセンサＳ３、大入賞口２２への入賞を検出する大入賞口センサＳ４、大入賞口２２のＶゾーン（特定領域）通過を検出するＶセンサＳ５などのセンサ類と、特別電動役物２２ａを開閉動作させる特別電動役物ソレノイドＳＯＬ１、普通電動役物２０ａを開閉動作させる普通電動役物ソレノイドＳＯＬ２などのアクチュエータ類と、上記制御基板２９〜３３とが接続されている。つまり、主制御基板２９は、上記各センサＳ１〜Ｓ５の検出信号に応じて、特別図柄抽選処理、普通図柄抽選処理、各副制御基板に対するコマンド送信処理、電動役物動作処理などを行うように構成されている。
【００２７】
［第一実施形態］
次に、本発明の第一実施形態に係るパチンコ遊技機１について説明する。本発明のパチンコ遊技機１は、遊技球に、遊技機外で有効な第一の価値と、遊技機内で有効な第二の価値とを設定し、第二の価値のみを選択的に切換えるために、第二の価値を選択する価値選択手段と、遊技機外から遊技機内に取り込まれる遊技球の個数を、第一及び第二の価値に応じて変換する第一の遊技媒体変換手段と、遊技機内から遊技機外に払い出す遊技球の個数を、第一及び第二の価値に応じて変換する第二の遊技媒体変換手段とを備える。
【００２８】
価値選択手段は、例えば、パチンコ遊技機１の正面に設けられる価値選択スイッチ４０によって構成され、その選択操作に応じて第二の価値が切り換えられる。本実施形態では、選択された第二の価値を価値表示部４１に表示し、選択可能な第二の価値としては、１円、２円、３円、４円、５円、６円、７円、８円、９円、１０円などの整数が好ましいが、１．５円、２．５円、３．５円、４．５円、５．５円、６．５円、７．５円、８．５円、９．５円などを加え、選択肢を増やしてもよい。また、第二の価値を、第一の価値を基準として相対的に表記してもよい。例えば、１／４、１／３、１／２、１／１、３／２、２／１などと表記し、これを選択するようにすればよい。尚、本実施形態では、第二の価値を遊技者が選択するが、遊技者による選択を禁止して、遊技場管理者が第二の価値を選択するようにしてもよい。
【００２９】
第一の遊技媒体変換手段は、第二の価値毎に設定される個数単位で上皿１２から遊技球を取り込むと共に、第二の価値毎に設定される回数単位で遊技球の発射を許可するように構成される。例えば、図７に示すように、取り込み単位個数は、第一の価値と第二の価値との最小公倍数を第一の価値で割った数とし、発射許可単位個数は、第一の価値と第二の価値との最小公倍数を第二の価値で割った数とすれば、いずれも整数となる。
【００３０】
本実施形態の第一の遊技媒体変換手段は、図６に示される発射球変換制御基板４２によって構成されている。発射球変換制御基板４２には、図柄表示制御基板３０、発射モータ制御基板３４、価値選択スイッチ４０、価値表示部４１、遊技球取り込み装置４３、発射球供給装置４４、発射個数表示部４５、戻り球センサ４６、排出球センサ４７などが接続されており、発射球変換制御基板４２が遊技球取り込み装置４３及び発射球供給装置４４の動作を制御することにより、第二の価値に応じた発射球の個数変換が行われる。
【００３１】
図８に示すように、本実施形態のパチンコ遊技機１には、遊技球タンク１７から賞球払出装置１８、上皿１２、遊技球取り込み装置４３及び排出球センサ４７を介して第一の遊技球排出口４８に至る第一の遊技球流路４９と、遊技球タンク１７から発射球供給装置４４、遊技球発射装置１９及び遊技盤１０を介して第二の遊技球排出口５０に至る第二の遊技球流路５１とを備える。これらの遊技球流路４９、５１は完全に分離して構成されるため、上皿１２から取り込んだ遊技球を、遊技盤１０に発射する遊技球と分離して取り扱うことが可能になる。
【００３２】
遊技球取り込み装置４３は、上皿１２上の遊技球を、前述した取り込み個数単位で取り込んで保留する動作と、保留した遊技球を第一の遊技球排出口４８に排出する動作とを交互に繰り返すように構成される。また、発射球供給装置４４は、遊技球タンク１７内の遊技球を、前述した発射個数単位で遊技球発射装置１９に供給するように構成される。
【００３３】
つまり、発射球変換制御基板４２は、価値選択スイッチ４０で選択された第二の価値に応じて、遊技球取り込み装置４３に対し、単位個数の取り込み（保留）を指示すると共に、遊技球取り込み装置４３からの取り込み完了信号を待つ。単位個数の遊技球が正常に取り込まれると、発射球変換制御基板４２は、発射球供給装置４４に対し、第二の価値に応じた単位個数の供給を指示し、発射球供給装置４４からの供給完了信号を待つ。単位個数の遊技球が遊技球発射装置１９に正常に供給されると、発射球変換制御基板４２は、遊技球取り込み装置４３に対し、保留している遊技球の排出を指示する。これらの一連の動作を繰り返すことにより、第二の価値に応じた発射球の個数変換が行われることになる。
【００３４】
発射個数表示部４５は、パチンコ遊技機１の正面に設けられ、発射球変換制御基板４２からの表示信号に応じて、遊技球の残り発射回数を表示するように構成される。例えば、図７に示すように、第二の価値を１円として遊技した場合、上皿１２から遊技球が一個取り込まれると、発射個数表示部４５に「４」と表示され、遊技球が発射される毎に発射個数表示部４５の表示個数がデクリメントされる（４→３→２→１→０）。遊技を継続している場合は、この表示が順次繰り返され、遊技を停止した場合は、その時点の残り発射個数が停止表示される。尚、発射個数表示部４５の表示方式は、上記のものに限定されない。例えば、残り発射個数の有無のみを簡易表示するようにしてもよい。また、遊技中は、発射個数表示部４５の表示を行わず、遊技が停止されたときだけ残り発射個数を表示するようにしてもよい。
【００３５】
また、発射された遊技球が遊技盤１０に到達せずに戻り球となった場合、この戻り球は、遊技球発射装置１９に戻らず、戻り球経路５１ａに流れる。通常、戻り球は、そのまま下皿１３に返却されるが、遊技機内外で遊技球の価値を相違させる本発明のパチンコ遊技機１では、戻り球をそのまま下皿１３に返却することはできない。本実施形態では、戻り球経路５１ａに設けられる戻り球センサ４６で戻り球を検出し、発射個数表示部４５の表示個数をインクリメントする。これにより、第二の価値に拘わらず、戻り球の返却処理を簡単に行うことが可能になる。尚、戻り球は、第二の遊技球排出口５０から排出される。
【００３６】
排出球センサ４７は、遊技球取り込み装置４３から排出される遊技球を検出するために設けられており、その検出信号は、発射球変換制御基板４２に入力される。発射球変換制御基板４２は、排出球センサ４７の検出信号に基づいて、遊技球取り込み装置４３からの排出個数をカウントし、これをホールコンピュータ９などの外部装置に出力する機能を備える（例えば１０球単位）。つまり、第一の価値を持つ排出球をカウントして外部出力することにより、第二の価値に拘わらず、パチンコ遊技機１の排出個数管理を行うことが可能になる。
【００３７】
また、上皿１２から取り込んだ遊技球を、パチンコ島２の排出球計数部８を介してパチンコ島２の遊技球回収路５に排出し、遊技盤１０に発射した遊技球を、排出球計数部８を介さずに遊技球回収路５に直接排出するようにしてもよい。この場合には、パチンコ遊技機１の排出個数を、既存の排出球計数部８を利用してカウントし、ホールコンピュータ９に送信することができるので、パチンコ遊技機１から排出個数信号を送信することが不要になる。
【００３８】
さらに、発射球変換制御基板４２は、価値選択スイッチ４０が選択操作されたとき、所定の切換条件が成立するまで、第二の価値の切換えを禁止する機能を備える。本実施形態では、第二の価値を切換えるための条件として、許可された遊技球の残り発射回数が０であることと、遊技盤１０において現在の価値に係る遊技動作（特別図柄変動表示、普通図柄変動表示など）が全て終了していることと、特定の遊技モード（大当りモード、確率変動モード、時間短縮モード）が終了していることを要求する。通常、パチンコ遊技機１では、遊技盤１０における遊技動作が全て終了した後、所定の時間が経過すると、特別図柄表示部２６にデモ画面を表示するので、デモ画面表示に基づいて遊技動作の終了を容易に判断することができる。以下、価値選択スイッチ４０が操作された場合における発射球変換制御基板４２の具体的な処理内容を図９に沿って説明する。
【００３９】
図９に示すように、価値選択スイッチ４０が操作されると、まず、特定の遊技モード（大当りモード、確率変動モード、時間短縮モード）であるか否かを判断し、これがＹＥＳの場合は、直ちに通常制御ルーチンに復帰する。一方、通常遊技モードである場合は、価値表示部４１を点滅表示とし、価値の切換え中であることを遊技者に示す。次に、遊技球取り込み装置４３による新たな遊技球の取り込みを禁止すると共に、発射個数表示部４５の表示個数を確認し、これが０以外である場合は、表示個数を点滅させて残り球の発射を遊技者に促す。一方、表示個数が０である場合は、遊技球発射装置１９の動作を禁止した後、特別図柄表示部２６のデモ画面表示を判断する。この判断は、主制御基板２９又は図柄表示制御基板３０の出力信号に基づいて行うことができる。そして、特別図柄表示部２６がデモ画面表示状態であると判断すると、第二の価値を切換え、通常制御ルーチンに復帰する。これにより、価値表示部４１に表示される第二の価値が切換わると共に、新たに選択された第二の価値で遊技を行うことが可能になる。
【００４０】
また、本実施形態の発射球変換制御基板４２は、遊技球の発射速度を、第二の価値に応じて切換える機能を備える。例えば、第二の価値が４円の場合は１分間の発射個数を９９個、２円の場合は１分間の発射個数を１５０個、６円の場合は１分間の発射個数を６６個とする。このように、第二の価値に応じて遊技球の発射速度を変更すると、遊技性に変化を与えることができるだけでなく、遊技球の発射速度によって第二の価値を判断できるという利点がある。また、遊技球の発射速度は、発射速度調整具（図示せず）の操作に応じて、所定の範囲で調整できるようにしてもよい。この場合には、第二の価値に応じて、発射速度の調整範囲を切換えることが好ましい。このようにすれば、１分間に発射される遊技球の合計価値が、規則で定められた価値（４００円／１分）を超えてしまうことを回避することができる。
【００４１】
本実施形態の第二の遊技媒体変換手段は、払出制御基板３３に構成されており、価値選択スイッチ４０や払出残数表示部５２が接続される。本来、払出制御基板３３は、遊技球が入賞した場合、主制御基板２９から払出コマンドを受信し、このコマンドで指定された個数の遊技球を上皿１２に払い出すように払出モータ３７を制御するが、第二の価値を切換える本発明のパチンコ遊技機１では、第二の価値に応じて払い出し個数を変換する必要がある。
【００４２】
払出制御基板３３による払い出し個数変換は、図１０に示すように行われる。つまり、基準価値（４円）における払い出し個数をＡとした場合、第二の価値を第一の価値で割り、これにＡを掛けた数を払い出し個数とする。しかしながら、このような個数変換を行うと、払い出し個数が整数変換されず、小数点以下の端数が生じる可能性がある。このような問題に対処するために、予め各価値における払い出し個数を整数で設定しておくことが考えられるが、この場合には、第二の価値間で払い出し率にバラツキが生じるという問題がある。
【００４３】
本実施形態の払出制御基板３３は、払い出す遊技球の個数を小数点以下まで演算すると共に、払い出しが不可能な小数点以下の個数を記憶保持し、これを次回の払い出し個数に加算することで上記の問題を解決する。また、払い出しが不可能な小数点以下の個数は、払出残数表示部５２に表示して、払出残数を遊技者に示す。例えば、基準価値（４円）における払い出し個数が１５個である場合、２円の価値で遊技すると、入賞に応じた払い出し個数は７．５個となる。この場合、７個は払い出すが、０．５個は記憶しておき、これを払出残数表示部５２に表示させる。次に入賞すると、記憶している０．５個に７．５個が加算され、８個が払い出される。このような処理は、例えば、図１１に示すようなプログラム（フローチャート）で容易に実現できる。また、遊技終了時における払出残数の処理は任意とする。例えば、払出残数を遊技者に還元するのであれば、払出残数を会員カードに記録する方法や、払出残数をレシートにプリントアウトする方法が挙られる。また、払出残数を遊技者に還元しないのであれば、デモ画面表示時に払出残数をリセットする方法や、そのまま次の遊技者に引き継ぐ方法が挙られる。
【００４４】
叙述の如く構成された本実施形態のパチンコ遊技機１は、遊技球に、遊技機外で有効な第一の価値と、遊技機内で有効な第二の価値とを設定し、第二の価値のみを選択的に切換えるものであって、第二の価値を選択する価値選択スイッチ４０と、遊技機外から遊技機内に取り込まれる遊技球の個数を、第一及び第二の価値に応じて変換する第一の遊技媒体変換手段（発射球変換制御基板４２）と、遊技機内から遊技機外に払い出す遊技媒体の個数を、第一及び第二の価値に応じて変換する第二の遊技媒体変換手段（払出制御基板３３）とを備え、第一の遊技媒体変換手段は、第二の価値毎に設定される個数単位で遊技球を取り込むと共に、第二の価値毎に設定される回数単位で遊技を許可し、さらに、許可された遊技の残り回数（又はその有無）を発射個数表示部４５に表示させるので、第一の遊技媒体変換手段による遊技球の個数変換が明瞭となる。これにより、許可された遊技の残り回数やその有無の誤認がなくなり、遊技者の不利益を防止することができる。
【００４５】
また、許可された遊技の残り回数が０以外のとき、第二の価値の切換えを禁止するため、残っている遊技が、異なる価値で実行される不都合を解消することができる。また、遊技機が特定の遊技モードであるとき、第二の価値の切換えを禁止するため、切換前の価値で実行された特定の遊技モード（例えば、大当りモード、確率変動モード、時間短縮モードなど）が、価値の切換後も継続されるという不都合を解消することができる。また、第二の価値の選択操作が行われたとき、新たな遊技媒体の取り込みを禁止するため、価値の切換えを円滑に行うことができるだけでなく、所定のインターバルを確保して、価値の切換えを明確にすることができる。また、第二の価値の選択操作が行われたとき、遊技機内における遊技動作の終了を待って、第二の価値を切換えるため、切換前の価値で実行された遊技に対し、切換後の価値で遊技媒体の払い出しが行われる不都合を解消することができる。
【００４６】
また、第一の遊技媒体変換手段や第二の遊技媒体変換手段は、主制御基板２９以外の基板に設けられるため、主制御プログラムを変更せずに本発明を実施することが可能になる。これにより、主制御プログラムの複雑化や容量オーバーも回避することができる。
【００４７】
また、第二の遊技媒体変換手段は、払い出す遊技球の個数を小数点以下まで演算すると共に、払い出しが不可能な小数点以下の個数を記憶保持し、これを次回の払い出し個数に加算するため、遊技球の払い出し個数が整数となるように第二の価値を設定する場合に比べ、第二の価値を細かく設定し、価値の選択肢を増やすことができる。また、遊技球の払い出し個数が整数となるように第二の価値毎に払い出し個数を設定する場合のように、第二の価値間で払い出し率にバラツキが生じることを回避し、公平性を高めることができる。
【００４８】
また、第二の遊技媒体変換手段は、払い出しが不可能な小数点以下の個数を払出残数表示部５２に表示させるため、第二の価値を切換えるものであっても、遊技球の払い出し個数を明瞭にし、遊技者の誤解を回避することができる。また、払出残数表示部５２の表示個数は、第一の価値を基準として表示されるため、第二の価値が切り換えられたとき、表示個数を変更する必要がない。
【００４９】
また、第一の遊技球変換手段は、遊技機外から取り込んだ遊技球を、遊技機内に発射する遊技球と分離して取り扱うため、複雑な機構を用いることなく、遊技球の個数変換を行い、大幅なコストダウンを図ることができる。しかも、価値の異なる遊技球が混ざることがないため、ホールコンピュータ９による各パチンコ遊技機１の出玉管理が容易になる。
【００５０】
また、パチンコ遊技機１は、遊技機外から取り込んだ遊技球の個数をカウントし、これを排出個数としてホールコンピュータ９に送信する機能を備えるため、第一の価値を基準として排出球を管理する現行のホールコンピュータ９を用いて、出玉管理を行うことができる。
【００５１】
また、遊技機外から取り込んだ遊技球は、パチンコ島２の排出球計数部８を介してパチンコ島２の遊技球回収路５に排出し、遊技機内に発射した遊技球は、排出球計数部８を介さずに遊技球回収路５に直接排出することが可能であるため、既存の排出球計数部８を利用して排出球をカウントし、ホールコンピュータ９に送信することができる。
【００５２】
また、遊技球の発射速度又はその調整範囲を、第二の価値に応じて切換えることが可能であるため、遊技性に変化を与え、パチンコ遊技機１の付加価値を高めることができる。また、遊技球の発射速度によって第二の価値を判断できるため、遊技者の価値の誤認を防止することができる。
【００５３】
［第二実施形態］
次に、本発明の第二実施形態について説明する。ただし、第一実施形態と共通の構成については、第一実施形態と同一の符号を付し、第一実施形態の説明を援用する。図１２に示すように、第二実施形態のパチンコ遊技機１は、基板構成が第一実施形態のものと相違している。具体的には、発射球変換制御基板４２の機能（第一の遊技媒体変換手段）を払出制御基板３３に集約している。このように構成すると、基板構成が簡略になり、コストダウンが可能になる。
【００５４】
また、第一の遊技媒体変換手段及び／又は第二の遊技媒体変換手段を独立した基板とし、これを遊技機外に設置することも可能である。例えば、この基板を台間玉貸し機に組み込み、所定の通信手段を介して遊技機に接続するという形態でも本発明を実施することができる。この場合、価値選択スイッチ、価値表示部、発射個数表示部、払出残数表示部などは、台間玉貸し機に集約することが可能になる。また、価値選択スイッチと価値表示部だけを台間玉貸し機側に設けることも可能であり、この場合には、価値選択スイッチの選択信号が台間玉貸し機を介して第一の遊技媒体変換手段及び第二遊技媒体変換手段に入力されることになる。
【００５５】
［第三実施形態］
次に、本発明の第三実施形態について説明する。図１３に示すように、第三実施形態のパチンコ遊技機１は、遊技機外から取り込んだ遊技球を、パチンコ島２の排出球計数部８を介してパチンコ島２の遊技球回収路５に排出する点は第一実施形態と同様であるが、遊技機内に発射した遊技球を、遊技機内で循環使用する封入方式を採用している点が第一実施形態と相違している。このような封入方式としては、遊技盤１０に発射された遊技球を遊技球タンク１７に還元する方法と、専用のサブタンク５３に還元する方法が考えられるが、本実施形態では、後者を採用する。そのために、本実施形態のパチンコ遊技機１は、遊技盤１０のセーフ球及びアウト球を回収し、これを研磨してサブタンク５３に還元する還元装置５４を備える。このように構成されたパチンコ遊技機１では、遊技機内に発射する遊技球が、完全に遊技機内で循環使用されるため、遊技機内の遊技球だけ色を変えたり、中空の遊技球や、反発係数の高い材質からなる遊技球を使用するなど、使用する遊技球の自由度を高め、付加価値の高い弾球遊技機を提供することができる。
【００５６】
尚、本発明は、前記実施形態に限定されないことは勿論であって、遊技媒体（遊技球、コインなど）を用いて遊技を行うものであれば、パチンコ遊技機に限らず、スロットマシンなどの遊技機に適用することができる。
【図面の簡単な説明】
【００５７】
【図１】パチンコ島の構成を示す概略図である。
【図２】パチンコ遊技機の正面図である。
【図３】パチンコ遊技機の背面図である。
【図４】遊技盤の正面図である。
【図５】遊技モードの切換りを示すフローチャートである。
【図６】パチンコ遊技機の制御系全体を示すブロック図である。
【図７】第一の遊技媒体変換手段による発射個数の変換例を示す説明図である。
【図８】遊技球の流れを示す説明図である。
【図９】価値切換処理を示すフローチャートである。
【図１０】第二の遊技媒体変換手段による払い出し個数の変換例を示す説明図である。
【図１１】払出変換処理を示すフローチャートである。
【図１２】第二実施形態の基板構成を示すブロック図である。
【図１３】第三実施形態における遊技球の流れを示す説明図である。
【符号の説明】
【００５８】
１    パチンコ遊技機
２    パチンコ島
４    遊技球補給路
５    遊技球回収路
７    遊技球還元機
８    排出球計数部
９    ホールコンピュータ
１０  遊技盤
１２  上皿
２９  主制御基板
３３  払出制御基板
４０  価値選択スイッチ
４１  価値表示部
４２  発射球変換制御基板
４３  遊技球取り込み装置
４４  発射球供給装置
４５  発射個数表示部
４６  戻り球センサ
４７  排出球センサ
４８  第一の遊技球排出口
４９  第一の遊技球流路
５０  第二の遊技球排出口
５１  第二の遊技球流路
５２  払出残数表示部
【図１】
2005058489.tif 000003
【図２】
2005058489.tif 000004
【図３】
2005058489.tif 000005
【図４】
2005058489.tif 000006
【図５】
2005058489.tif 000007
【図６】
2005058489.tif 000008
【図７】
2005058489.tif 000009
【図８】
2005058489.tif 000010
【図９】
2005058489.tif 000011
【図１０】
2005058489.tif 000012
【図１１】
2005058489.tif 000013
【図１２】
2005058489.tif 000014
【図１３】
2005058489.tif 000015